(57)【要約】【課題】簡単な方法でマスターマイコンをリセットさせてラッチアップ状態から回復させること。【解決手段】火力や加熱時間等をタッチキーにて操作できる操作部１に搭載されたマスターマイコン２と加熱コイル３に高周波電流を供給し火力を制御する制御部４に搭載されたスレーブマイコン５が実施している通信がある一定の期間途絶えた事をスレーブマイコン５が検知し、スレーブマイコン５からマスターマイコン２側のリセット回路６に対してリセット信号を送る事によりマスターマイコン２をラッチアップ状態から回復させること。【選択図】図１
2013097881.tif 000002
【特許請求の範囲】
【請求項１】
鍋を搭載する金属フレームで周囲を覆われたトッププレートと、火力や加熱時間等をタッチキーにて操作できるマスターマイコンを搭載した操作部と、前記鍋を加熱する加熱コイルと、前記加熱コイルに高周波電流を供給し火力を制御するスレーブマイコンを搭載した制御部と、前記制御部と前記操作部に電源を供給する電源回路と、マイコンを初期状態に戻したり、ラッチアップ状態から復帰させたり出来るリセット回路を備え、前記マスターマイコンと前記スレーブマイコンが、ある一定の期間通信が途絶えた際、前記スレーブマイコンは、瞬時電圧低下ではなくラッチアップとみなし、前記スレーブマイコンからリセット信号を前記マスターマイコン側の前記リセット回路に送り、前記マスターマイコンをリセットさせる誘導加熱調理器。
【請求項２】
前記スレーブマイコンから前記マスターマイコンへリセット信号を送っても、前記マスターマイコンと前記スレーブマイコン間の通信が開始されない時、複数回リトライを繰り返す請求項１に記載の誘導加熱調理器。
【請求項３】
前記リトライを複数回繰り返しても前記マスターマイコンと前記スレーブマイコンとの間に通信が行われない時、初めて通信異常と判断し前記操作部に位置した特定のＬＥＤを点灯させる請求項１または２に記載の誘導加熱調理器。
【請求項４】
前記ＬＥＤを点灯させる際、前記ＬＥＤを点灯させる信号線を前記スレーブマイコンからマスターマイコン側の前記リセット回路に送られる前記リセット信号の信号線と共用し、回路を簡素化出来る請求項３に記載の誘導加熱調理器。
【請求項５】
外付け又は前記スレーブマイコンに内蔵されているＥＥＰＲＯＭに前記リセット信号を送った回数を記録し、保守や不具合発生時の解析手段として活用可能な請求項１〜３のいずれか１項に記載の誘導加熱調理器。
【発明の詳細な説明】
【技術分野】
【０００１】
本発明は、鍋などの被加熱物を加熱し調理する誘導加熱調理器に関するものである。
【背景技術】
【０００２】
従来この種の誘導加熱調理器は、図４及び図５に示すように鍋を搭載する金属フレーム１１で周囲を覆われたトッププレート１０と、火力や加熱時間等をタッチキーにて操作できるマスターマイコンを搭載した操作部１と、前記鍋を加熱する加熱コイル３と、加熱コイル３に高周波電流を供給し火力を制御するスレーブマイコンを搭載した制御部４と、制御部４と操作部１に電源を供給する電源回路７と、マイコンを初期状態に戻したり、ラッチアップ状態から復帰させたり出来るリセット回路６を備え、電源立ち上げ時や一時的に電圧が降下した直後等、マイコンを初期化させる必要があるときには、各マイコンのリセット回路６が作動し、自動的に各マイコンを初期化していた。
【先行技術文献】
【特許文献】
【０００３】
【特許文献１】特開平１１−２７２５０４号公報
【特許文献２】特開平１１−２７２５０５号公報
【特許文献３】特開２００２−１７４９７０号公報
【発明の概要】
【発明が解決しようとする課題】
【０００４】
しかしながら、マスターマイコンに静電気など一時的に高い電圧が加わりラッチアップ状態に陥った時、その状態から回復させる為にはリセット回路を起動する必要があるが、ラッチアップ状態に陥っている為タッチキーが効かず、タッチキーでは電源が入り切り出来ない為、電源ケーブルをコンセントから外さないとラッチアップ状態から回復出来ないと言う課題があった。或いは、リセットボタンが有る機種では、リセットボタンを使用者が押す必要があった。
【０００５】
本発明は前記従来の課題を解決するものであり、簡単な方法でマスターマイコンをリセットさせてラッチアップ状態から回復させる事を目的とする。
【課題を解決するための手段】
【０００６】
前記従来の課題を解決するために、本発明の加熱調理器は、鍋を搭載する金属フレームで周囲を覆われたトッププレートと、火力や加熱時間等をタッチキーにて操作できるマスターマイコンを搭載した操作部と、前記鍋を加熱する加熱コイルと、前記加熱コイルに高周波電流を供給し火力を制御するスレーブマイコンを搭載した制御部と、前記制御部と操作部に電源を供給する電源回路と、マスターマイコンを初期状態に戻したり、ラッチアップ状態から復帰させたり出来るリセット回路を備え、マスターマイコンとスレーブマイコンが、ある一定の期間通信が途絶えた際、瞬時電圧低下ではなくラッチアップとみなし、スレーブマイコンからリセット信号をマスターマイコン側のリセット回路に送り、マスターマイコンをリセットさせる事でマスターマイコンをラッチアップ状態から回復させる事が出来る。
【発明の効果】
【０００７】
本発明の誘導熱調理器は、スレーブマイコンが自動的にマスターマイコンのラッチアップ状態を検知し、リセット信号をマスターマイコン側のリセット回路に送出しマスターマイコンをリセットする事で、誘導過熱調理器の電源ケーブルを使用者がコンセントから抜
く事無くマスターマイコンをラッチアップ状態から復帰させる事が出来る。
【図面の簡単な説明】
【０００８】
【図１】本発明の誘導加熱調理器の構成図
【図２】ラッチアップ状態の信号を示す図
【図３】ラッチアップ状態にならない信号を示す図
【図４】誘導加熱調理器の上面図
【図５】従来の誘導加熱調理器の構成図
【発明を実施するための形態】
【０００９】
第１の発明は、鍋を搭載する金属フレームで周囲を覆われたトッププレートと、火力や加熱時間等をタッチキーにて操作出来るマスターマイコンを搭載した操作部と、前記鍋を加熱する加熱コイルと、前記加熱コイルに高周波電流を供給し火力を制御するスレーブマイコンを搭載した制御部と、前記制御部と操作部に電源を供給する電源回路と、マイコンを初期状態に戻したり、ラッチアップ状態から復帰させたり出来るリセット回路を備え、前記マスターマイコンと前記スレーブマイコンが、ある一定の期間通信が途絶えた際、瞬時電圧低下ではなくラッチアップとみなし、前記スレーブマイコンからリセット信号を前記マスターマイコン側の前記リセット回路に送り、前記マスターマイコンをリセットさせる事でマスターマイコンをラッチアップから回復させる事が出来る。
【００１０】
第２の発明は、特に、第１の発明において、前記スレーブマイコンから前記マスターマイコンへリセット信号を送っても、前記マスターマイコンと前記スレーブマイコン間の通信が開始されない時、複数回リトライを繰り返す事で、マスターマイコンを確実にラッチアップから回復させる事が出来る。
【００１１】
第３発明は、特に、第１または第２の発明において、前記リトライを複数回繰り返しても前記マスターマイコンと前記スレーブマイコンとの間に通信が開始されない時、初めて通信異常と判断し前記操作部に位置した特定のＬＥＤを点灯させる事で使用者にマイコンの異常を知らせる事が出来る。
【００１２】
第４の発明は、特に、第３の発明において、前記ＬＥＤを点灯させる信号線を、前記スレーブマイコンからマスターマイコン側の前記リセット回路に送るリセット信号線と共用する事で、回路の簡素化を図る事が出来る。
【００１３】
第５の発明は、特に、第１〜３のいずれか１つの発明の外付け又は前記スレーブマイコンに内蔵されているＥＥＰＲＯＭに、前記スレーブマイコンから前記マスターマイコンのリセット回路に前記リセット信号を送った回数を記録する事で、保守や不具合発生時の解析手段として活用出来る。
【００１４】
以下、本発明の実施の形態について、図面を参照しながら説明する。なお、この実施の形態によって本発明が限定されるものではない。
【００１５】
（実施の形態１）
図１は本発明の第１の実施の形態におけるブロック図を示した物である。
図１において、操作部１、マスターマイコン２は操作部１に搭載され、加熱コイル３、制御部４は加熱コイル３に高周波電流を供給し火力を制御するものであり、スレーブマイコン５は制御部４に搭載され、リセット回路６はマスターマイコン２及びスレーブマイコン５を初期状態に戻すリセット信号を発生させるものであり、電源回路７は操作部１及び制御部４に電源を供給する、通信線８はマスターマイコン２とスレーブマイコン５との間で信号をやり取りする、リセット信号線９はマスターマイコン２のリセット回路６に対して
スレーブマイコン５からリセット信号を送るものである。
【００１６】
図２と図３は、通信線８のうち、マスターマイコン２からスレーブマイコン５に対して送られる通信信号と、スレーブマイコン５からマスターマイコン２に接続されているリセット回路６に送られるリセット信号を示したものである。
【００１７】
図２において、マスターマイコン２から送られる通信信号が、ある一定時間ｔより長く途絶えた時、スレーブマイコン５はマスターマイコンがラッチアップ状態であると認識する。ラッチアップであると認識したスレーブマイコン５は、マスターマイコン２のリセット回路６に対して図２下に示すリセット信号を送出する。リセット信号を受けたマスターマイコン２のリセット回路６はマスターマイコンに対してリセットを実施し、マスターマイコン２がリセットされ、初期状態に戻りスレーブマイコン５との間で通信が再開され正常の状態に戻る事が出来る。
【００１８】
一方、図３において、マスターマイコン２から送られる通信信号が、ある一定時間ｔより短い時間途絶えた時、スレーブマイコン５はマスターマイコン２が瞬時電圧低下であると認識する。瞬時電圧低下であると認識したスレーブマイコン５は特にリセット信号を送出せず、再びマスターマイコン２から送られてくる信号を待つ。再びマスターマイコン２から通信信号を受信すると、再び正常状態に戻る事が出来る。
【００１９】
（実施の形態２）
基本は実施の形態１と同じなので、異なる部分のみ説明する。
【００２０】
実施の形態１において、スレーブマイコン５からリセット信号を送出した後、マスターマイコン２から通信信号が来ない場合、何らかの原因でリセット信号がリセット回路に届かないか、届いていてもノイズなどの影響を受けてリセット回路が信号を十分認識できない可能性があるので、再度、スレーブマイコン５からリセット信号を送る事で、確実にリセット回路を作動させマスターマイコン２をラッチアップ状態から回復させる事が出来る。
【００２１】
（実施の形態３）
基本は実施の形態１及び２と同じなので、異なる部分のみ説明する。
【００２２】
実施の形態２において、スレーブマイコン５がリセット信号の送出を繰り返した際、ｎ回送出してもマスターマイコン２から通信信号が返って来なかった場合、スレーブマイコン５はマスターマイコンからの通信が異常であると判断し、スレーブマイコンは特定のＬＥＤ、例えば、操作部に設けたＬＥＤ、を点灯させ、ＬＥＤの点灯を見た使用者が一目で故障であると判別出来るようにする。
【００２３】
なお、前記ＬＥＤを点灯させる際、その信号線をスレーブマイコン５からマスターマイコン２側のリセット回路６に送られる前記リセット信号と共用することにより、例えば、操作部のＬＥＤを点灯させる信号線を共用し、回路を簡素化出来る。
【００２４】
なお、実施の形態１〜３において、外付け又はスレーブマイコン５に内蔵されているＥＥＰＲＯＭに、スレーブマイコン５からマスターマイコン２のリセット回路に前記リセット信号を送った回数を記録する事で、保守や不具合発生時の解析手段として活用出来る。
【産業上の利用可能性】
【００２５】
以上のように、本発明にかかる誘導加熱調理器は、マスターマイコンがラッチアップ状態に陥った時、通信信号によりスレーブマイコンがマスターマイコンがラッチアップ状態
である事を検知し、スレーブマイコンからマスターマイコンのリセット回路に対してリセット信号を送る事で、使用者に悟られることなくマスターマイコンをラッチアップ状態から回復させ、使用者が誘導加熱調理器を使用出来ない状態に陥る事を回避することが出来る。
【符号の説明】
【００２６】
１  操作部
２  マスターマイコン
３  加熱コイル
４  制御部
５  スレーブマイコン
６  リセット回路
７  電源回路
８  通信線
９  リセット信号線
１０  トッププレート
１１  金属フレーム
【図１】
2013097881.tif 000003
【図２】
2013097881.tif 000004
【図３】
2013097881.tif 000005
【図４】
2013097881.tif 000006
【図５】
2013097881.tif 000007